(57)【要約】【課題】ボタンとして機能する面フアスナーを肌着に固着するのではなく別途用意することで、傷みや痒みを生じることがなく、寒暖に応じて調節しながら着ることができ、洗濯時にも糸くずが引っついたり他の衣服を引っかけたりすることがない肌着を提供する。【解決手段】一方の前身頃１１の前立て部１１ａの裏側に襟元から裾にかけてパイルテープ１３ａを取り付けてあり、他方の前身頃１２の前立て部１２ａの表側に前記裏側と相対向して襟元から裾にかけてパイルテープ１３ｂを取り付けてあり、これらパイルテープ１３ａ，１３ｂ間に着脱可能に取り付けてボタンとして機能する複数個の面フアスナー１４，１４…を別途用意する。【選択図】図１
0003141770.tif 000002
【実用新案登録請求の範囲】
【請求項１】
一方の前身頃の前立て部の裏側に襟元から裾にかけてパイルテープを取り付けてあり、他方の前身頃の前立て部の表側に前記裏側と相対向して襟元から裾にかけてパイルテープを取り付けてあり、
これらパイルテープ間に着脱可能に取り付けてボタンとして機能する複数個の面フアスナーを別途用意したことを特徴とする肌着。
【考案の詳細な説明】
【技術分野】
【０００１】
本考案は、簡単に着脱することができる肌着に係り、特に介護用に適した肌着に関するものである。
【背景技術】
【０００２】
従来、簡単に着脱することができるシャツとして、実用新案登録第３０４２０１１号公報に記載されたものが提供されている。
このものは、右側前身頃の長さ方向上面端縁部の襟元及びその下方に向かう等間隔となした数箇所に雄型或いは雌型面ファスナーを、左側前身頃の長さ方向裏面端縁部の襟元及びその下方に向かう上記雄型或いは雌型面ファスナーと対応する箇所に雌型或いは雄型面ファスナーを取付けたものである。
【０００３】
また、介護用下着として、特開２００１−１８１９０１号公報に記載されたものが提供されている。
このものは、後身頃を右後身頃と左後身頃とに二分割して形成し、右後身頃及び左後身頃の対向する端部にそれぞれ打ち合わせ部を形成し、それぞれの打ち合わせ部に面ファスナーの係合雄部、係合雌部からなる止着部材を複数個取り付けて、係合または係合離脱させることによって、後身頃を開閉可能に形成したものである。
【０００４】
これら従来例のものにおいては、相対向する部位に設けられる複数個の雄型・雌型の面ファスナーは、身頃に縫い付けられている。
そのため、洗濯時に、面ファスナーが他の衣服に掏れたり引っ掛かったりして、衣服に傷を付けることがあり、また、面ファスナーの部分に糸くずが引っついて取り除くのに難儀するという問題があった。
さらに、洗濯を繰り返すことにより生地は縮んでいくので、縫い付けられている面ファスナーは引きつられて山状に湾曲し、その結果、相対向する面ファスナーの係合面が減少するので、雄型・雌型の面ファスナーを係合しにくくなり、また、係合の効果（強度）も減少することとなる。
【０００５】
また、着用に当たっては、雄型・雌型の面ファスナーの部分が皮膚に直接当たることがあり、皮膚を傷つけたり痒みを生じるという問題もあった。
さらに、雄型・雌型の面ファスナーが身頃に固着されており、これら面ファスナーの部分が直接皮膚に当たると痛いので、雄型・雌型の面ファスナーはすべて係合させて皮膚に当たらないように着ることになり、寒暖に応じて胸元部を開けて着るなど、調節しながら着るいうことがしずらいという問題をも有していた。
【特許文献１】実用新案登録第３０４２０１１号公報
【特許文献２】特開２００１−１８１９０１号公報
【考案の開示】
【考案が解決しようとする課題】
【０００６】
解決しようとする問題点は、着用者が傷みや痒みを生じることがなく、寒暖に応じて調節しながら着ることができ、洗濯時にも糸くずが引っついたり他の衣服を引っかけたりすることがない点である。
【課題を解決するための手段】
【０００７】
本考案は、着用者が傷みや痒みを生じることがなく、寒暖に応じて調節しながら簡単に着脱できるように、一方の前身頃の前立て部の裏側に襟元から裾にかけてパイルテープを取り付けてあり、他方の前身頃の前立て部の表側に前記裏側と相対向して襟元から裾にかけてパイルテープを取り付けてあり、これらパイルテープ間に着脱可能に取り付けてボタンとして機能する複数個の面フアスナーを別途用意したことを最も主要な特徴とする。
【考案の効果】
【０００８】
本考案の肌着は、左右の前身頃の前立て部の襟元から裾にかけて相対向する部位にパイルテープを取り付けてあり、ボタンとして機能する面フアスナーは肌着に固着するのではなく別途用意してパイルテープ間に着脱可能に取り付けるものであるので、面ファスナーが着用者に触れることがなく、着用者が面ファスナーに起因する傷みや痒みを生じることがない。
また、面フアスナーはパイルテープ間の所望の位置に着脱可能に取り付けることができるので、気温に応じて面フアスナー位置を調節でき、快適に着ることができる。
しかも、洗濯時には、面ファスナーをパイルテープから外して洗濯できるので、面ファスナーに起因して、糸くずが引っついたり他の衣服を引っかけたりすることがないという利点がある。
【考案を実施するための最良の形態】
【０００９】
着用者が傷みや痒みを生じることがなく、寒暖に応じて調節しながら簡単に着脱できるという目的を、左右の前身頃の前立て部の襟元から裾にかけて相対向する部位にパイルテープを取り付けてあり、ボタンとして機能する面フアスナーを肌着に固着するのではなく別途用意してパイルテープ間に着脱可能に取り付けることにより実現した。
【実施例１】
【００１０】
図１は、本考案に係る肌着の正面図である。
肌着１０は、前開きに形成されており、左前身頃１１の前立て部１１ａと右前身頃１２の前立て部１２ａとにおいて開閉可能に形成されている。
そして、肌着１０は、左右の前身頃１１，１２の前立て部１１ａ，１２ａの襟元から裾にかけて、前立て部１１ａ，１２ａの相対向する部位にパイルテープ１３ａ，１３ｂを取り付けてある。
【００１１】
即ち、紳士用の肌着１０においては、図１に示すように、左前身頃１１の前立て部１１ａの襟元から裾にかけて、前立て部１１ａの裏側に、パイルテープ１３ａを取り付けてある。
また、右前身頃１２の前立て部１２ａの襟元から裾にかけて、前立て部１２ａの表側にパイルテープ１３ｂを取り付けてある。
【００１２】
婦人用の肌着１０においては、前記紳士用の肌着とは逆に、左前身頃１１の前立て部１１ａの表側にパイルテープ１３ａを取り付けると共に、右前身頃１２の前立て部１２ａの裏側にパイルテープ１３ｂを取り付ければよい。
【００１３】
パイルテープ１３ａ，１３ｂは、アクリル又はポリエステル等の薄いパイル生地をバイヤステープ状に２〜３ｃｍ幅にカットしたもので、前身頃の前立て部の襟元から裾にかけて、全面にわたって縫製することにより前立て部に取り付けてある。
パイルテープ１３ａ，１３ｂは、パイル編みよりなるので、直接皮膚に触れても、傷や痒みを訴えることがない。
【００１４】
１４は、パイルテープ１３ａ，１３ｂに着脱可能な面ファスナーであり、パイルテープ１３ａ，１３ｂに係合できるように、両面を雄型で構成してある。
面ファスナー１４は、パイルテープ１３ａ，１３ｂ内におさまるように、縦及び横あるいは直径が１〜２ｃｍの円形、楕円形、多角形等の形状に形成してある。
【００１５】
面ファスナー１４は、ボタンとして機能するものであり、肌着１０に固着するのではなく、別途複数個用意する。
着用した肌着の前を閉じるには、いずれか一方のパイルテープ１３ａ，１３ｂの所望の位置に面ファスナー１４，１４…を付け、他方のパイルテープ１３ｂ，１３ａを対向するようにして、前立て部１１ａ，１２ａを抑えることにより、簡単に行うことができる。
【００１６】
そして、気温に応じて、例えば、襟元のパイルテープに係合させる面ファスナーのボタン位置を変えることにより、胸元を開けて涼を取りやすくしたり、胸元を詰めて暖を保つことができる。
また、裾部末端のパイルテープに係合させるに面ファスナーを付けたり、付ける数を増やしたりすることにより、肌着のずり上がりを防止することもできる。
【００１７】
着用した肌着の前を開くには、面ファスナー１４取り付け部位の前立て部１１ａ，１２ａを開くことにより、簡単に行うことができる。
そして、肌着を洗濯するときには、面ファスナー１４をパイルテープから外すことにより、他の衣料を引っかけたり、従来例のような肌着の面ファスナー部に洗濯ゴミが引っつくということもない。
【００１８】
１５は、着用者の体形に応じて丈を調整できるように形成した離脱部である。
離脱部１５は、肌着本体と裾部１６との間を、それらの幅方向（裾回り方向）にわたって、合成樹脂フィルム、合成樹脂シートで熱融着により接合したり、ミシン目切り取り線を入れることにより形成してある。
そして、離脱部１５で離脱した肌着本体の下端部は、ほつれないように形成するのが好ましい。
このように離脱部１５を形成しておくと、着用者の体形に応じて丈を調整して着用することができる。
【産業上の利用可能性】
【００１９】
本考案に係る肌着は、ボタンとして機能する面フアスナーを肌着に固着するのではなく別途用意してパイルテープ間に着脱可能に取り付けるようにしてあるので、着用者が傷みや痒みを生じることがなく、寒暖に応じて調節しながら簡単に着脱でき、高齢者や介護用肌着として有用である。
【図面の簡単な説明】
【００２０】
【図１】本考案に係る肌着の正面図である。
【図２】面フアスナーを閉じた状態の断面図である。
【符号の説明】
【００２１】
１０    肌着
１１    左前身頃
１１ａ  左前身頃の前立て部
１２    右前身頃
１２ａ  右前身頃の前立て部
１３ａ，１３ｂ  パイルテープ
１４    面フアスナー
【図１】
0003141770.tif 000003
【図２】
0003141770.tif 000004